(57)【要約】【課題】光アクセス装置を多段に接続する多段光アクセス装置において、上位の親局が、それに接続されるすべての下位の子局の接続構成を把握することを可能とする。【解決手段】下位親局１１ａは、下位子局１２ａに回線接続番号を付与し、付与した回線接続番号を上位子局２ａに送信する。上位子局２ａは、受信した下位子局１２ａに付与された回線接続番号を上位親局１に送信する。上位親局１は、下位子局１２ａに付与された回線接続番号を送信した上位子局２ａを特定し、上位子局２ａに付与された回線接続番号と受信した下位子局１２ａに付与された回線接続番号とを保持する。【選択図】図１
2012080401.tif 000002
【特許請求の範囲】
【請求項１】
上位親局と、この上位親局に光ファイバを介して接続された少なくとも一つの上位子局と、この上位子局に接続された下位親局と、この下位親局に光ファイバを介して接続された少なくとも一つの下位子局とを備えた多段光アクセス装置において、
上記下位親局は、上記下位子局に回線接続番号を付与し、これを上記上位子局に送信するものであり、
上記上位子局は、上記下位親局から受信した上記下位子局の回線接続番号と自己の回線接続番号とを上記上位親局に送信するものであり、
上記上位親局は、上記上位子局から受信した上記下位子局の回線接続番号と上記上位子局の回線接続番号とを対にして保持するものである多段光アクセス装置。
【請求項２】
上位親局と、この上位親局に光ファイバを介して接続された少なくとも一つの上位子局と、この上位子局に接続された下位親局と、この下位親局に光ファイバを介して接続された少なくとも一つの下位子局とを備えた多段光アクセス装置において、
上記上位親局は、上記上位子局へ設定要求を送信し、かつ、上記上位子局から受信した上記下位子局の回線接続番号と上記上位子局の回線接続番号とを対にして保持するものであり、
上記上位子局は、上記設定要求を上記下位親局へ転送し、かつ、上記下位親局から受信した上記下位子局の回線接続番号と自己の回線接続番号とを上記上位親局に送信するものであり、
上記下位親局は、上記設定要求に応じて上記下位子局に回線接続番号を付与し、これを上記上位子局に送信するものである多段光アクセス装置。
【請求項３】
上位親局と、この上位親局に光ファイバを介して接続された少なくとも一つの上位子局と、この上位子局に接続された下位親局と、この下位子局に光ファイバを介して接続された少なくとも一つの下位子局とを有し、
上記下位親局が上記下位子局に回線接続番号を付与し、これを上記上位子局に送信するステップと、
上記上位子局が送信した上記下位子局の回線接続番号と自己の回線接続番号とを上記上位親局に送信するステップと、
上記上位親局が上記上位子局から受信した上記下位子局の回線接続番号と上記上位子局の回線接続番号とを対にして保持するステップとを備えた多段光アクセス装置の管理方法。
【発明の詳細な説明】
【技術分野】
【０００１】
この発明は、親局と子局とを光ファイバで接続する光アクセス装置を多段接続する多段光アクセス装置に関するものである。
【背景技術】
【０００２】
親局と１つ以上の子局を光ファイバと光分岐器等のパッシブ素子を介して接続する光アクセスシステム（光アクセス装置）は、ＰＯＮシステム(Passive Optical Network)と呼ばれる。このような光アクセスシステムでは、親局が接続するすべての子局を監視することによりシステム全体を監視する。たとえば、光アクセスシステムのうち、E-PON(Ethernet-Passive Optical Network)システム(Ethernetは登録商標)は、IEEE802.3ahにて物理インタフェース、親局−子局間（ＰＯＮ区間）のプロトコルスタック、保守運用管理インタフェースが標準化されたシステムであり、親局は子局とＯＡＭフレーム(ＯＡＭ：Operations, Administration and Maintenance)を送受信することにより子局を監視する。IEEE802.3ahの標準仕様については非特許文献１により規定されている。
【０００３】
このような光アクセスシステムでは、親局に、システム運用者が操作する監視装置が接続されており、システム運用者は、親局を通じて子局を監視する。
【先行技術文献】
【非特許文献】
【０００４】
【非特許文献１】IEEE Standards 802.3ah-2004
【非特許文献２】「技術基礎講座［ＧＥ−ＰＯＮ技術］第４回ＧＥ−ＰＯＮシステム化機能」ＮＴＴ技術ジャーナル２００５．１１，５９頁−６１頁
【発明の概要】
【発明が解決しようとする課題】
【０００５】
ところで、このような光アクセスシステムは、２０ｋｍ以下の光ファイバで親局と子局を接続するため、人口が密集する都市地域での導入が進んでいる。一方、ルーラル（田舎）地域にブロードバンドサービスを提供する手段として、光アクセスシステムを多段に接続、すなわち子局の下位に下位親局を接続することにより、親局を設置する局舎から子局を設置する加入者宅までの距離を延伸する多段光アクセスシステム（多段光アクセス装置）に関心が高まっている。また、局舎から集合住宅の共用部までを10GE-PONなどの回線容量が大きい光アクセスシステムで接続し、集合住宅の共用部から各戸までを1GE-PONなどの回線容量が小さいシステムで接続する多段光アクセスシステムも期待できる。
【０００６】
上記のような多段光アクセスシステムに対し、従来の光アクセスシステムにおける子局の監視方法を適用する場合、システム運用者は、多段に接続された光アクセスシステムのすべての親局に監視装置を接続して、子局を監視することとなる。これにより、システム運用者は、すべての子局を監視することが可能である。
【０００７】
ところが、多段光アクセスシステムにおいては、ある子局で障害が発生した場合、障害の影響は、下位に接続する子局に及ぶ可能性があるため、システム運用者は、監視する各子局が、上位の子局か下位の子局かを把握し、かつ上位の子局の場合は、どの子局が下位に接続するかを把握する必要がある。しかしながら、従来の光アクセスシステムにおける子局の監視方法を多段光アクセスシステムに適用する場合、各親局は、直接接続する子局のみを監視するため、監視する各子局が、上位の子局か下位の子局かを把握し、かつ上位の子局の場合は、どの子局が下位に接続するかを把握するには、システム運用者は、監視装置が接続する各親局が、上位の親局か下位の親局かを把握し、かつ下位の親局の場合は、どの上位の子局に接続しているかを把握する必要がある。
【０００８】
すなわち、従来の光アクセスシステムにおける子局の監視方法を多段光アクセスシステムに適用する場合、各親局は、直接接続する子局のみを監視するため、監視する各子局がどのような接続構成となっているかを把握するには、監視装置が接続する各親局の接続構成を把握する必要がある。
【０００９】
以上のように、従来の光アクセスシステムにおける子局の監視方法を多段光アクセスシステムに適用する場合、システム運用者は、監視装置をすべての親局に接続しなければならないこと、および監視装置が接続する各親局の接続構成を把握しなければならないことが問題点として挙げられる。
【００１０】
この発明は、上述のような問題を解決するためになされたもので、目的は、上位の親局が、それに接続されるすべての下位の子局の接続構成を把握することを可能とする多段光アクセスシステムを得るものである。
【課題を解決するための手段】
【００１１】
この発明の、上位親局と、この上位親局に光ファイバを介して接続された少なくとも一つの上位子局と、この上位子局に接続された下位親局と、この下位親局に光ファイバを介して接続された少なくとも一つの下位子局とを備えた多段光アクセス装置において、下位親局は、接続する下位子局に回線接続番号を付与し、これを上位子局に送信するものであり、上位子局は、下位親局から受信した下位子局の回線接続番号を上位親局に送信するものであり、上位親局は、上位子局から受信した下位子局の回線接続番号と上位子局の回線接続番号とを保持するものである。
【発明の効果】
【００１２】
この発明によれば、多段光アクセスシステムにおいて、上位の親局は、それに接続されるすべての下位の子局の接続構成を把握することが可能となる。このため、多段光アクセスシステムにおける保守運用管理機能の品質がさらに向上する。
【図面の簡単な説明】
【００１３】
【図１】本発明の実施の形態１における多段光アクセスシステムの接続図である。
【図２】本発明の実施の形態１および実施の形態２における上位親局の構成図である。
【図３】本発明の実施の形態１および実施の形態２における上位子局の構成図である。
【図４】本発明の実施の形態１および実施の形態２における下位親局の構成図である。
【図５】本発明の実施の形態１における接続監視テーブルの構成図である。
【図６】本発明の実施の形態１における多段光アクセスシステムの回線接続シーケンスである。
【図７】本発明の実施の形態１における接続監視テーブルの構成図である。
【図８】本発明の実施の形態１における接続監視テーブルの構成図である。
【図９】本発明の実施の形態２における多段光アクセスシステムの接続図である。
【図１０】本発明の実施の形態２における下位子局の構成図である。
【図１１】本発明の実施の形態２における接続監視テーブルの構成図である。
【図１２】本発明の実施の形態２における多段光アクセスシステムの回線接続シーケンスである。
【図１３】本発明の実施の形態２における接続監視テーブルの構成図である。
【図１４】本発明の実施の形態２における接続監視テーブルの構成図である。
【発明を実施するための形態】
【００１４】
実施の形態１．
図１は、本発明の実施の形態１における多段光アクセスシステムの構成を示したものである。図１において上位親局１は光分岐素子３により分岐する光ファイバ４を介して上位子局２と接続し、下位親局１１は上位子局２と接続し、かつ、光分岐素子３により分岐する光ファイバ４を介して下位子局１２と接続し、多段光アクセスシステムを構成する。図１は、上位子局２を３台示しているが、台数に制限はない。同様に図１は、下位子局１２を３台示しているが、台数に制限はない。
【００１５】
図２は、本発明の実施の形態１における上位親局１の構成を示したものである。上位親局１は、上位ネットワークに上りデータ信号を送信する上り送信部１００、上りデータ信号と制御信号とを振り分ける上り振分部１０１、上位子局２から送信される上りデータ信号と制御信号とを光信号から電気信号に変換して受信する光受信部１０２、上位ネットワークから送信される下りデータ信号を受信する下り受信部１０３、下りデータ信号と制御信号とを多重する下り多重部１０４、下りデータ信号と制御信号とを電気信号から光信号に変換して上位子局２に送信する光送信部１０５、制御信号をIEEE802.3ahにて規定されるプロトコルスタックで上位子局２と送受信するＰＯＮブロック部１０６、監視制御部１０７を含んで構成される。
【００１６】
監視制御部１０７は、制御信号を生成するＰＯＮ制御メッセージ部１０８、下位親局１１に下位子局１２との接続設定を送信する遠隔設定要求部１０９、下位子局１２の回線接続番号を受信する接続情報受付部１１０、上位子局２及び下位子局１２の回線接続番号を保持する接続監視テーブル１１１、下位子局１２の接続設定を保持する接続設定１１２を含んで構成される。
【００１７】
図３は、本発明の実施の形態１における上位子局２の構成を示したものである。上位子局２は、上りデータ信号と制御信号とを電気信号から光信号に変換して上位親局１に送信する光送信部２００、上りデータ信号と制御信号とを多重する上り多重部２０１、上りデータ信号と制御信号とを振り分ける上り振分部２０２、上りデータ信号と制御信号とを受信する上りユーザＩ／Ｆ部２０３、上位親局１から送信される下りデータ信号と制御信号とを光信号から電気信号に変換して受信する光受信部２０４、下りデータ信号と制御信号とを振り分ける下り振分部２０５、下りデータ信号と制御信号とを多重する下り多重部２０６、下りデータ信号と制御信号とを送信する下りユーザＩ／Ｆ部２０７、制御信号の通信プロトコルを変換するプロトコル変換部２０８、制御信号をIEEE802.3ahにて規定されるプロトコルスタックで上位親局１と送受信するＰＯＮブロック部２０９を含んで構成される。
【００１８】
図４は、本発明の実施の形態１における下位親局１１の構成を示したものである。下位親局１１は、上位子局２に上りデータ信号と制御信号とを送信する上り送信部３００、上りデータ信号と制御信号とを多重する上り多重部３０１、上りデータ信号と制御信号とを振り分ける上り振分部３０２、下位子局１２から送信される上りデータ信号と制御信号とを光信号から電気信号に変換して受信する光受信部３０３、上位子局２から送信される下りデータ信号と制御信号とを受信する下り受信部３０４、下りデータ信号と制御信号とを振り分ける下り振分部３０５、下りデータ信号と制御信号とを多重する下り多重部３０６、下りデータ信号と制御信号とを電気信号から光信号に変換して下位子局１２に送信する光送信部３０７、制御信号をIEEE802.3ahにて規定されるプロトコルスタックで下位子局１２と送受信するＰＯＮブロック部３０８、監視制御部３０９を含んで構成される。
【００１９】
監視制御部３０９は、制御信号を生成するＰＯＮ制御メッセージ部３１０、上位親局から送信される下位子局１２との接続設定を受信する遠隔設定受付部３１１、下位子局１２との接続を制御する接続制御部３１２、下位子局１２の接続設定を保持する接続設定３１３を含んで構成される。
【００２０】
図５は、本発明の実施の形態１における接続監視テーブル１１１の構成を示したものである。接続監視テーブル１１１は、子局ごとに異なる番号となる子局管理番号４０１、上位子局２または下位子局１２の回線接続構成を示す回線接続番号４０２を含んで構成される。図５は、上位子局２ａ、上位子局２ｂ、および上位子局２ｃが上位親局１に接続した時点の接続監視テーブル１１１を示したものであり、上位親局１は、回線接続番号として、上位子局２ａに「１」を付与し、上位子局２ｂに「２」を付与し、上位子局２ｃに「３」を付与したことを示したものである。
【００２１】
次に動作について説明する。図６は、上位親局１、上位子局２ａ、下位親局１１ａ、および下位子局１２ａの間の回線接続シーケンスである。まず、システム運用者は、上位親局１の接続設定１１２に、下位子局１２ａが下位親局１１ａと回線接続するための接続設定を設定する（図６ステップＳＴ１）。遠隔設定要求部１０９は、接続設定１１２に設定された接続設定を、ＰＯＮ制御メッセージ部１０８へ送出する。ＰＯＮ制御メッセージ部１０８は、下位子局１２ａとの接続設定を送信するために、IEEE802.3ahにて規定される拡張ＯＡＭフレームに基づく制御信号を生成し、ＰＯＮブロック部１０６へ送出する。ＰＯＮブロック部１０６は、制御信号をIEEE802.3ahにて規定されるプロトコルスタックで下り多重部１０４に送出する。下り多重部１０４は、制御信号と下り受信部１０３が送出する下りデータ信号とを多重し、光送信部１０５に送出する。光送信部１０５は、制御信号と下りデータ信号とを電気信号から光信号に変換し、上位子局２ａへ送信する（図６ステップＳＴ２）。下位子局１２ａとの接続設定を含む制御信号は、上位子局２ａへ到達する。
【００２２】
上位子局２ａにおいて、光受信部２０４は、下位子局１２ａとの接続設定を含む制御信号と下りデータ信号とを光信号から電気信号に変換し、下り振分部２０５に送出する。下り振分部２０５は、制御信号をＰＯＮブロック部２０９に送出し、下りデータ信号を下り多重部２０６に送出する。ＰＯＮブロック部２０９は、制御信号をIEEE802.3ahにて規定されるプロトコルスタックで受信し、プロトコル変換部２０８に送出する。プロトコル変換部２０８は、制御信号を、上位子局２ａと下位親局１１ａとの通信プロトコルにしたがって、下り多重部２０６に送出する。下り多重部２０６は、制御信号と下りデータ信号とを多重し、下りユーザＩ／Ｆ部２０７に送出する。下りデータＩ／Ｆ部２０７は、制御信号と下りデータ信号とを下位親局１１ａへ送信する（図６ステップＳＴ３）。下位子局１２ａとの接続設定を含む制御信号は、下位親局１１ａへ到達する。
【００２３】
なお、上述した上位子局２ａと下位親局１１ａとの通信プロトコルは、たとえばイーサネットフレームを用いるものでもよいし、ＡＴＭセルを用いるものでもよく、制御信号を送受信できるものであれば、特に使用するプロトコルに制限はない。
【００２４】
下位親局１１ａにおいて、下り受信部３０４は、下位子局１２ａとの接続設定を含む制御信号と下りデータ信号とを下り振分部３０５に送出する。下り振分部３０５は、制御信号をＰＯＮ制御メッセージ部３１０に送出し、下りデータ信号を下り多重部３０６に送出する。ＰＯＮ制御メッセージ部３１０は、制御信号に含まれる下位子局１２ａとの接続設定を遠隔設定受付部３１１に送出する。遠隔設定受付部３１１は、下位子局１２ａとの接続設定を接続設定３１３に送出する。接続設定３１３は、下位子局１２ａとの接続設定を保持する（図６ステップＳＴ４）。
【００２５】
接続制御部３１２は、接続設定３１３が保持する下位子局１２ａとの接続設定に基づき下位子局１２ａと論理回線接続を確立させる。論理回線接続確立時、接続制御部３１２は、下位子局１２ａに、回線接続番号として「１」を付与し、付与した回線接続番号をＰＯＮ制御メッセージ部３１０に送出する。ＰＯＮ制御メッセージ部３１０は、下位子局１２ａに付与された回線接続番号を送信するために、IEEE802.3ahにて規定される拡張ＯＡＭフレームに基づく制御信号を生成し、上り多重部３０１へ送出する。上り多重部３０１は、下位子局１２ａに付与された回線接続番号を含む制御信号と上りデータ信号とを多重し、上り送信部３００に送出する。上り送信部３００は、制御信号と上りデータ信号とを、上位子局２ａに送信する（図６ステップＳＴ５）。下位子局１２ａに付与された回線接続番号を含む制御信号は、上位子局２ａへ到達する。
【００２６】
上位子局２ａにおいて、上りユーザＩ／Ｆ部２０３は、下位子局１２ａに付与された回線接続番号を含む制御信号と上りデータ信号とを、上り振分部２０２に送出する。上り振分部２０２は、制御信号をプロトコル変換部２０８に送出し、上りデータ信号を上り多重部２０１に送出する。プロトコル変換部２０８は、制御信号をＰＯＮブロック部２０９に送出する。ＰＯＮブロック部２０９は、制御信号をIEEE802.3ahにて規定されるプロトコルスタックで上り多重部２０１に送出する。上り多重部２０１は、制御信号と上りデータ信号とを多重し、光送信部２００に送出する。光送信部２００は、制御信号と上りデータ信号とを電気信号から光信号に変換し、上位親局１へ送信する（図６ステップＳＴ６）。下位子局１２ａに付与された回線接続番号を含む制御信号は、上位親局１へ到達する。
【００２７】
上位親局１において、光受信部１０２は、下位子局１２ａに付与された回線接続番号を含む制御信号と上りデータ信号とを光信号から電気信号に変換し、上り振分部１０１に送出する。上り振分部１０１は、制御信号をＰＯＮブロック部１０６に送出し、上りデータ信号を上り送信部１００に送出する。ＰＯＮブロック部１０６は、制御信号をIEEE802.3ahにて規定されるプロトコルスタックで受信し、ＰＯＮ制御メッセージ部１０８に送出する。ＰＯＮ制御メッセージ部１０８は、後述する方法により制御信号を送信した上位子局２ａを特定し、上位子局２ａに付与された回線接続番号（＝「１」）と制御信号に含まれる下位子局１２ａに付与された回線接続番号（＝「１」）とを接続情報受付部１１０に送出する。接続情報受付部１１０は、上位子局２ａに付与された回線接続番号と下位子局１２ａに付与された回線接続番号とを接続監視テーブル１１１に送出する。接続監視テーブル１１１は、上位子局２ａに付与された回線接続番号と下位子局１２ａに付与された回線接続番号とを保持する（図６ステップＳＴ７）。図７は、この時点における接続監視テーブル１１１を示したものである。図７において、下位子局１２ａの子局管理番号は「４」、回線接続番号は「１．１」である。
【００２８】
前述した制御信号を送信した上位子局２ａを特定するための方法としては、制御信号が基づいている拡張ＯＡＭフレームに含まれる送信元ＭＡＣアドレスにより特定してもよいし、制御信号の送受信に使用するIEEE802.3ahにて規定されるプロトコルスタックにより特定してもよい。また、上位子局２ａを構成するプロトコル変換部２０８が、制御信号をＰＯＮブロック部２０９に送出する際に、送出する制御信号に、自己に付与された回線接続番号を含めるようにしてもよい。
【００２９】
下位子局１２ｂ、下位子局１２ｃについて、図６の回線接続シーケンスと同様の回線接続シーケンスにより、接続監視テーブル１１１は、図８のように示される。図８において、下位子局１２ｂの子局管理番号は「５」、回線接続番号は「１．２」である。下位子局１２ｃの子局管理番号は「６」、回線接続番号は「１．３」である。図８より、回線接続番号が「１」で始まっている、子局管理番号「４」、子局管理番号「５」、および子局管理番号「６」の各子局は、回線接続番号が「１」である、子局管理番号「１」の上位子局２ａの下位に接続する子局であることがわかる。
【００３０】
以上のように、本実施の形態１によれば、下位親局は、下位子局に付与された回線接続番号を、上位子局を経由して上位親局に送信し、上位親局は、経由した上位子局に付与された回線接続番号と下位子局に付与された回線接続番号とを保持するよう構成したので、上位親局は、接続されるすべての子局の接続構成を把握することが可能となる。また、上位親局は、多段光アクセスシステムのすべての子局を監視することが可能となるため、システム運用者は、監視装置を、下位親局に接続する必要はない。
【００３１】
なお、本実施の形態１では、親局−子局間（ＰＯＮ区間）のプロトコルスタックを、IEEE802.3ahにて規定されるプロトコルスタックとしたが、G-PON(Gigabit capable Passive Optical Network)が採用するITU-T G.984により規定されるプロトコルスタックなど、ほかのＰＯＮシステムが採用するプロトコルスタックとしても同様の効果を得ることが可能である。
【００３２】
実施の形態２．
図９は、本発明の実施の形態２における多段光アクセスシステムの構成を示したものである。図１と同じ符号のものは同様の機能を有するので、説明を繰り返さない。図９において、図１で示すような多段光アクセスシステムの下位子局１２に、さらに異なる下位親局１１を接続し、かつ、該下位親局１１は、光分岐素子３により分岐する光ファイバ４を介して異なる下位子局１２と接続し、多段光アクセスシステムを構成する。図９は、上位子局２を３台示しているが、台数に制限はない。同様に図９は、下位子局１２を７台示しているが、台数に制限はない。実施の形態２における、上位親局１、上位子局１２、下位親局１１の構成は、実施の形態１と同様である。
【００３３】
図１０は、本発明の実施の形態２における下位子局１２の構成を示したものである。下位子局１２は、上りデータ信号と制御信号とを電気信号から光信号に変換して下位親局１１に送信する光送信部５００、上りデータ信号と制御信号とを多重する上り多重部５０１、上りデータ信号と制御信号とを振り分ける上り振分部５０２、上りデータ信号と制御信号とを受信する上りユーザＩ／Ｆ部５０３、下位親局１１から送信される下りデータ信号と制御信号とを光信号から電気信号に変換して受信する光受信部５０４、下りデータ信号と制御信号とを振り分ける下り振分部５０５、下りデータ信号と制御信号とを多重する下り多重部５０６、下りデータ信号と制御信号とを送信する下りユーザＩ／Ｆ部５０７、制御信号の通信プロトコルを変換するプロトコル変換部５０８、制御信号をIEEE802.3ahにて規定されるプロトコルスタックで下位親局１１と送受信するＰＯＮブロック部５０９を含んで構成される。
【００３４】
図１１は、本発明の実施の形態２における接続監視テーブル１１１の構成を示したものである。図１１は、上位子局２ｄ、上位子局２ｅ、および上位子局２ｆが上位親局１に接続し、下位子局１２ｄが下位親局１１ｄに接続し、下位子局１２ｅ、下位子局１２ｆ、および下位子局１２ｇが下位親局１１ｅに接続した時点の接続監視テーブル１１１を示したものであり、上位親局１は、回線接続番号として、上位子局２ｄに「１」を付与し、上位子局２ｅに「２」を付与し、上位子局２ｆに「３」を付与したことを示したものである。同様に、下位親局１１ｄは、回線接続番号として、下位子局１２ｄに「１」を付与し、下位親局１１ｅは、回線接続番号として、下位子局１２ｅに「１」を付与し、下位子局１２ｆに「２」を付与し、下位子局１２ｇに「３」を付与したことを示したものである。
【００３５】
次に動作について説明する。図１２は、上位親局１、上位子局２ｄ、下位親局１１ｄ、下位子局１２ｄ、下位親局１１ｆ、および下位子局１２ｈの間の回線接続シーケンスである。まず、システム運用者は、上位親局１の接続設定１１２に、下位子局１２ｈが下位親局１１ｆと回線接続するための接続設定を設定する（図１２ステップＳＴ１）。図１２ステップＳＴ２から図１２ステップＳＴ４までの動作は、それぞれ実施の形態１における図６ステップＳＴ２から図６ステップＳＴ４までの動作と同様である。図１２ステップＳＴ２から図１２ステップＳＴ４までの動作により、下位親局１１ｄにおいて、接続設定３１３は、下位子局１２ｈとの接続設定を保持する。
【００３６】
下位親局１１ｄにおいて、遠隔設定受付部３１１は、接続設定３１３に設定された下位子局１２ｈとの接続設定を、ＰＯＮ制御メッセージ部３１０へ送出する。ＰＯＮ制御メッセージ部３１０は、下位子局１２ｈとの接続設定を送信するために、IEEE802.3ahにて規定される拡張ＯＡＭフレームに基づく制御信号を生成し、ＰＯＮブロック部３０８へ送出する。ＰＯＮブロック部３０８は、制御信号をIEEE802.3ahにて規定されるプロトコルスタックで下り多重部３０６に送出する。下り多重部３０６は、制御信号と下り振分部３０５が送出する下りデータ信号とを多重し、光送信部３０７に送出する。光送信部３０７は、制御信号と下りデータ信号とを電気信号から光信号に変換し、下位子局１２ｄへ送信する（図１２ステップＳＴ５）。下位子局１２ｈとの接続設定を含む制御信号は、下位子局１２ｄへ到達する。
【００３７】
下位子局１２ｄにおいて、光受信部５０４は、下位子局１２ｈとの接続設定を含む制御信号と下りデータ信号とを光信号から電気信号に変換し、下り振分部５０５に送出する。下り振分部５０５は、制御信号をＰＯＮブロック部５０９に送出し、下りデータ信号を下り多重部５０６に送出する。ＰＯＮブロック部５０９は、制御信号をIEEE802.3ahにて規定されるプロトコルスタックで受信し、プロトコル変換部５０８に送出する。下位子局１２ｄと下位親局１１ｆが接続する場合、プロトコル変換部５０８は、制御信号を、下位子局１２ｄと下位親局１１ｆとの通信プロトコルにしたがって、下り多重部５０６に送出する。下り多重部５０６は、制御信号と下りデータ信号とを多重し、下りユーザＩ／Ｆ部５０７に送出する。下りデータＩ／Ｆ部５０７は、制御信号と下りデータ信号とを下位親局１１ｆへ送信する（図１２ステップＳＴ６）。下位子局１２ｄと下位親局１１ｆが接続する場合、下位子局１２ｈとの接続設定を含む制御信号は、下位親局１１ｆへ到達する。
【００３８】
なお、上述した下位子局１２ｄと下位親局１１ｆが接続するか否か判別する方法としては、下位子局１２ｄを設置する際に設定するディップスイッチなどによるハードウェア設定により判別してもよいし、下位子局１２ｄと下位親局１１ｆとが所定の通信プロトコルで接続を確立しているかどうかにより判別してもよい。下位子局１２ｄと下位親局１１ｆが接続しない場合、プロトコル変換部５０８は、下位子局１２ｈとの接続設定を含む制御信号を破棄する。
【００３９】
下位親局１１ｆにおいて、下り受信部３０４は、下位子局１２ｈとの接続設定を含む制御信号と下りデータ信号とを下り振分部３０５に送出する。下り振分部３０５は、制御信号をＰＯＮ制御メッセージ部３１０に送出し、下りデータ信号を下り多重部３０６に送出する。ＰＯＮ制御メッセージ部３１０は、制御信号に含まれる下位子局１２ｈとの接続設定を遠隔設定受付部３１１に送出する。遠隔設定受付部３１１は、下位子局１２ｈとの接続設定を接続設定３１３に送出する。接続設定３１３は、下位子局１２ｈとの接続設定を保持する（図１２ステップＳＴ７）。
【００４０】
接続制御部３１２は、接続設定３１３が保持する下位子局１２ｈとの接続設定に基づき下位子局１２ｈと論理回線接続を確立させる。論理回線接続確立時、接続制御部３１２は、下位子局１２ｈに、回線接続番号として「１」を付与し、付与した回線接続番号をＰＯＮ制御メッセージ部３１０に送出する。ＰＯＮ制御メッセージ部３１０は、下位子局１２ｈに付与された回線接続番号を送信するために、IEEE802.3ahにて規定される拡張ＯＡＭフレームに基づく制御信号を生成し、上り多重部３０１へ送出する。上り多重部３０１は、下位子局１２ｈに付与された回線接続番号を含む制御信号と上りデータ信号とを多重し、上り送信部３００に送出する。上り送信部３００は、制御信号と上りデータ信号とを、下位子局１２ｄに送信する（図１２ステップＳＴ８）。下位子局１２ｈに付与された回線接続番号を含む制御信号は、下位子局１２ｄへ到達する。
【００４１】
下位子局１２ｄにおいて、上りユーザＩ／Ｆ部５０３は、下位子局１２ｈに付与された回線接続番号を含む制御信号と上りデータ信号とを、上り振分部５０２に送出する。上り振分部５０２は、制御信号をプロトコル変換部５０８に送出し、上りデータ信号を上り多重部５０１に送出する。プロトコル変換部５０８は、制御信号をＰＯＮブロック部５０９に送出する。ＰＯＮブロック部５０９は、制御信号をIEEE802.3ahにて規定されるプロトコルスタックで上り多重部５０１に送出する。上り多重部５０１は、制御信号と上りデータ信号とを多重し、光送信部５００に送出する。光送信部５００は、制御信号と上りデータ信号とを電気信号から光信号に変換し、下位親局１１ｄへ送信する（図１２ステップＳＴ９）。下位子局１２ｈに付与された回線接続番号を含む制御信号は、下位親局１１ｄへ到達する。
【００４２】
下位親局１１ｄにおいて、光受信部３０３は、下位子局１２ｈに付与された回線接続番号を含む制御信号と上りデータ信号とを光信号から電気信号に変換し、上り振分部３０２に送出する。上り振分部３０２は、制御信号をＰＯＮブロック部３０８に送出し、上りデータ信号を上り多重部３０１に送出する。ＰＯＮブロック部３０８は、制御信号をIEEE802.3ahにて規定されるプロトコルスタックで受信し、ＰＯＮ制御メッセージ部３１０に送出する。ＰＯＮ制御メッセージ部３１０は、後述する方法により制御信号を送信した下位子局１２ｄを特定し、下位子局１２ｄに付与された回線接続番号（＝「１」）と制御信号に含まれる下位子局１２ｈに付与された回線接続番号（＝「１」）とを送信するために、IEEE802.3ahにて規定される拡張ＯＡＭフレームに基づく制御信号を生成し、上り多重部３０１へ送出する。上り多重部３０１は、下位子局１２ｄに付与された回線接続番号と下位子局１２ｈに付与された回線接続番号とを含む制御信号ならびに上りデータ信号を多重し、上り送信部３００に送出する。上り送信部３００は、制御信号と上りデータ信号とを、上位子局２に送信する（図１２ステップＳＴ１０）。下位子局１２ｄに付与された回線接続番号と下位子局１２ｈに付与された回線接続番号とを含む制御信号は、上位子局２ｄへ到達する。
【００４３】
前述した制御信号を送信した下位子局１２ｄを特定するための方法としては、制御信号が基づいている拡張ＯＡＭフレームに含まれる送信元ＭＡＣアドレスにより特定してもよいし、制御信号の送受信に使用するIEEE802.3ahにて規定されるプロトコルスタックにより特定してもよい。また、下位子局１２ｄを構成するプロトコル変換部５０８が、制御信号をＰＯＮブロック部５０９に送出する際に、送出する制御信号に、自己に付与された回線接続番号を含めるようにしてもよい。
【００４４】
上位子局２ｄにおいて、上りユーザＩ／Ｆ部２０３は、下位子局１２ｄに付与された回線接続番号と下位子局１２ｈに付与された回線接続番号とを含む制御信号および上りデータ信号を、上り振分部２０２に送出する。上り振分部２０２は、制御信号をプロトコル変換部２０８に送出し、上りデータ信号を上り多重部２０１に送出する。プロトコル変換部２０８は、制御信号をＰＯＮブロック部２０９に送出する。ＰＯＮブロック部２０９は、制御信号をIEEE802.3ahにて規定されるプロトコルスタックで上り多重部２０１に送出する。上り多重部２０１は、制御信号と上りデータ信号とを多重し、光送信部２００に送出する。光送信部２００は、制御信号と上りデータ信号とを電気信号から光信号に変換し、上位親局１へ送信する（図１２ステップＳＴ１１）。下位子局１２ｄに付与された回線接続番号と下位子局１２ｈに付与された回線接続番号とを含む制御信号は、上位親局１へ到達する。
【００４５】
上位親局１において、光受信部１０２は、下位子局１２ｄに付与された回線接続番号と下位子局１２ｈに付与された回線接続番号とを含む制御信号および上りデータ信号を光信号から電気信号に変換し、上り振分部１０１に送出する。上り振分部１０１は、制御信号をＰＯＮブロック部１０６に送出し、上りデータ信号を上り送信部１００に送出する。ＰＯＮブロック部１０６は、制御信号をIEEE802.3ahにて規定されるプロトコルスタックで受信し、ＰＯＮ制御メッセージ部１０８に送出する。ＰＯＮ制御メッセージ部１０８は、後述する方法により制御信号を送信した上位子局２ｄを特定し、上位子局２ｄに付与された回線接続番号（＝「１」）および制御信号に含まれる下位子局１２ｄに付与された回線接続番号（＝「１」）と下位子局１２ｈに付与された回線接続番号（＝「１」）を接続情報受付部１１０に送出する。接続情報受付部１１０は、上位子局２ｄに付与された回線接続番号、下位子局１２ｄに付与された回線接続番号、および下位子局１２ｈに付与された回線接続番号を接続監視テーブル１１１に送出する。接続監視テーブル１１１は、上位子局２ｄに付与された回線接続番号、下位子局１２ｄに付与された回線接続番号、および下位子局１２ｈに付与された回線接続番号を保持する（図１２ステップＳＴ１２）。図１３は、この時点における接続監視テーブル１１１を示したものである。図１３において、下位子局１２ｈの子局管理番号は「８」、回線接続番号は「１．１．１」である。
【００４６】
前述した制御信号を送信した上位子局２ａを特定するための方法としては、制御信号が基づいている拡張ＯＡＭフレームに含まれる送信元ＭＡＣアドレスにより特定してもよいし、制御信号の送受信に使用するIEEE802.3ahにて規定されるプロトコルスタックにより特定してもよい。また、上位子局２ａを構成するプロトコル変換部２０８が、制御信号をＰＯＮブロック部２０９に送出する際に、送出する制御信号に、自己に付与された回線接続番号を含めるようにしてもよい。
【００４７】
下位子局１２ｉ、下位子局１２ｊについて、図１２の回線接続シーケンスと同様の回線接続シーケンスにより、接続監視テーブル１１１は、図１４のように示される。図１４において、下位子局１２ｉの子局管理番号は「９」、回線接続番号は「１．１．２」である。下位子局１２ｊの子局管理番号は「１０」、回線接続番号は「１．１．３」である。図１４より、回線接続番号が「１．１」で始まっている、子局管理番号「８」、子局管理番号「９」、および子局管理番号「１０」の各子局は、回線接続番号が「１．１」である、子局管理番号「４」の下位子局１２ｄの下位に接続する子局であることがわかる。
【００４８】
以上のように、本実施の形態２によれば、実施の形態１の構成に加え、下位親局は、下位子局から送信された回線接続番号を受信した場合、回線接続番号を送信した下位子局に付与された回線接続番号と受信した回線接続番号とを、上位子局を経由して上位親局に送信するように構成したので、上位親局は、三段接続された多段光アクセスシステムにおいて、接続されるすべての子局の接続構成を把握することが可能となる。また、上位親局は、三段接続された多段光アクセスシステムのすべての子局を監視することが可能となるため、システム運用者は、監視装置を、下位親局に接続する必要はない。
【００４９】
なお、本実施の形態２において、下位子局１２ｄ、下位子局１２ｅ、下位子局１２ｆ、下位子局１２ｇのそれぞれの回線接続番号である「１．１」、「２．１」、「２．２」、「２．３」は、実施の形態１で説明した方法と同様の方法により得られる。
【００５０】
また、本実施の形態２では、親局−子局間（ＰＯＮ区間）のプロトコルスタックを、IEEE802.3ahにて規定されるプロトコルスタックとしたが、G-PON(Gigabit capable Passive Optical Network)が採用するITU-T G.984で規定されるプロトコルスタックなど、ほかのＰＯＮシステムが採用するプロトコルスタックとしても同様の効果を得ることが可能である。
【００５１】
さらに、本実施の形態２では、光アクセスシステムを三段接続した多段光アクセスシステムについて記載したが、四段以上接続した多段光アクセスシステムにおいても、同様の動作により、上位親局は、接続されるすべての子局の接続構成を把握することが可能である。
【符号の説明】
【００５２】
１    上位親局
２    上位子局
３    光分岐素子
４    光ファイバ
１１    下位親局
１２    下位子局
１００    上り送信部
１０１    上り振分部
１０２    光受信部
１０３    下り受信部
１０４    下り多重部
１０５    光送信部
１０６    ＰＯＮブロック部
１０７    監視制御部
１０８    ＰＯＮ制御メッセージ部
１０９    遠隔設定要求部
１１０    接続情報受付部
１１１    接続監視テーブル
１１２    接続設定
２００    光送信部
２０１    上り多重部
２０２    上り振分部
２０３    上りユーザＩ／Ｆ部
２０４    光受信部
２０５    下り振分部
２０６    下り多重部
２０７    下りユーザＩ／Ｆ部
２０８    プロトコル変換部
２０９    ＰＯＮブロック部
３００    上り送信部
３０１    上り多重部
３０２    上り振分部
３０３    光受信部
３０４    下り受信部
３０５    下り振分部
３０６    下り多重部
３０７    光送信部
３０８    ＰＯＮブロック部
３０９    監視制御部
３１０    ＰＯＮ制御メッセージ部
３１１    遠隔設定受付部
３１２    接続制御部
３１３    接続設定
４０１    子局管理番号
４０２    回線接続番号
５００    光送信部
５０１    上り多重部
５０２    上り振分部
５０３    上りユーザＩ／Ｆ部
５０４    光受信部
５０５    下り振分部
５０６    下り多重部
５０７    下りユーザＩ／Ｆ部
５０８    プロトコル変換部
５０９    ＰＯＮブロック部
【図１】
2012080401.tif 000003
【図２】
2012080401.tif 000004
【図３】
2012080401.tif 000005
【図４】
2012080401.tif 000006
【図５】
2012080401.tif 000007
【図６】
2012080401.tif 000008
【図７】
2012080401.tif 000009
【図８】
2012080401.tif 000010
【図９】
2012080401.tif 000011
【図１０】
2012080401.tif 000012
【図１１】
2012080401.tif 000013
【図１２】
2012080401.tif 000014
【図１３】
2012080401.tif 000015
【図１４】
2012080401.tif 000016